(57)【要約】      （修正有）【課題】ナビゲーション基準がずれた場合に、ずれが検出され、適切な信号（例えば、可聴又は視覚的警告）を生成しガイダンスを提供して、施術者が基準カテーテルを初期位置に復元するのを支援することができる位置特定システムの提供。【解決手段】位置特定システムのナビゲーション基準のずれを検出する方法は、位置特定場内の初期基準位置に少なくとも１つの基準位置特定要素を含む基準カテーテル２９を固定し、基準位置特定要素のうちの１つ又は複数の位置は、基準カテーテル２９が初期基準位置からずれたことを示唆する認識される変位に関して監視し認識される変位の方向を分析して、基準カテーテル２９の実際のずれがあったか否かが判断し、あった場合、適切な信号（例えば、可聴又は視覚的警告）を生成し、ガイダンスを提供して、施術者が基準カテーテル２９を初期位置に復元するのを支援する。【選択図】図１
2015027542.tif 000002
【特許請求の範囲】
【請求項１】
位置特定場内のナビゲーション基準のずれを検出する方法であって、
少なくとも１つの基準位置特定要素を含む基準カテーテルを位置特定場に配置するステップと、
前記基準カテーテルを前記位置特定場内の初期基準位置に固定するステップと、
前記少なくとも１つの基準位置特定要素の低速移動平均位置を計算するステップと、
前記少なくとも１つの基準位置特定要素の高速移動平均位置を計算するステップと、
前記少なくとも１つの基準位置特定要素の前記低速移動平均位置と前記高速移動平均位置との距離を計算するステップと、
前記計算された距離をずれ閾値と比較するステップと、
前記初期基準位置からの前記基準カテーテルのずれが発生したと判断するステップと、
前記初期基準位置からの前記基準カテーテルのずれを示す信号を生成するステップと、
を含む、方法。
【請求項２】
前記ずれ閾値は約４ｍｍである、請求項０に記載の方法。
【請求項３】
前記計算された距離が前記ずれ閾値を超える場合、
前記少なくとも１つの基準位置特定要素に対して、
前記基準位置特定要素のそれぞれの前記低速移動平均位置及び前記高速移動平均位置の前記計算された距離が前記ずれ閾値を超える時点での前記基準位置特定要素のそれぞれの前記低速移動平均位置及び前記高速移動平均位置を結ぶベクトルを計算するステップと、
前記基準位置特定要素のそれぞれの前記低速移動平均位置及び前記高速移動平均位置の前記計算された距離が前記ずれ閾値を超える時点での前記基準位置特定要素のそれぞれの近傍の前記基準カテーテルの軸を特定するステップと、
前記計算されたベクトルと、前記基準位置特定要素のそれぞれの近傍の前記基準カテーテルの前記軸との間の角度を計算するステップと、
それにより、前記少なくとも１つの基準位置特定要素に関連付けられた少なくとも１つの角度を計算するステップと、
前記基準カテーテルが前記初期基準位置からずれたという表示に関して、前記少なくとも１つの角度を分析するステップと、
をさらに含む、請求項０に記載の方法。
【請求項４】
前記基準カテーテルが前記初期基準位置特定位置からずれたという表示に関して、前記少なくとも１つの角度を分析するステップは、
鋭角閾値を超える角度のカウントを特定することと、
前記角度のカウントをカウント閾値と比較することと、
を含む、請求項０に記載の方法。
【請求項５】
前記基準位置特定要素のそれぞれの近傍の前記基準カテーテルの前記軸は、前記基準位置特定要素のそれぞれと隣接する基準位置特定要素とを結ぶ線分により定義される、請求項０に記載の方法。
【請求項６】
前記少なくとも１つの基準位置特定要素の前記高速移動平均位置は、約１２秒というフィルタ時間定数を用いて計算される、請求項０に記載の方法。
【請求項７】
前記少なくとも１つの基準位置特定要素の低速移動平均位置及び高速移動平均位置のうちの少なくとも一方は、指数移動平均フィルタ、移動平均フィルタ、無限インパルス応答フィルタ、有限インパルス応答フィルタ、及びこれらの任意の組み合わせからなる群から選択されるフィルタを使用して計算される、請求項０に記載の方法。
【請求項８】
前記初期基準位置の近傍に前記基準カテーテルを再位置決めし、固定するのに役立つガイダンスをユーザに提供するステップをさらに含む、請求項０に記載の方法。
【請求項９】
前記基準カテーテルの新しい安定位置を定義するステップと、
前記初期基準位置と前記新しい安定位置との前記基準カテーテルの任意の位置変化を補償する基準調整を計算するステップと、
前記基準調整を使用して、前記初期基準位置からのずれの後に行われる位置特定要素位置測定を調整するステップと、
をさらに含む、請求項０に記載の方法。
【請求項１０】
非電離位置特定場内のナビゲーション基準のずれを検出する方法であって、
複数の基準位置特定要素を含む基準カテーテルを前記位置特定場内の初期基準位置に固定するステップと、
前記初期基準位置からの前記基準カテーテルの認識された変位を検出するステップと、
前記認識された変位の方向を分析して、前記初期基準位置から前記基準カテーテルがずれたか否かを判断するステップと、
前記初期基準位置からの前記基準カテーテルのずれを示す信号を生成するステップと、
を含む、方法。
【請求項１１】
前記初期基準位置からのずれの後の前記基準カテーテルの任意の位置変化を補償する基準調整を計算するステップと、
前記基準調整を使用して、前記初期基準位置からのずれの後に行われた位置特定要素位置測定を調整するステップと、
をさらに含む、請求項０に記載の方法。
【請求項１２】
前記検出するステップは、前記複数の基準位置特定要素のうちの少なくともいくつかの認識される変位の大きさをずれ閾値と比較することを含む、請求項０に記載の方法。
【請求項１３】
前記分析するステップは、前記複数の基準位置特定要素のうちの少なくともいくつかの認識される変位の方向を期待されるずれ方向と比較することを含む、請求項０に記載の方法。
【請求項１４】
前記初期基準位置の近傍に前記基準カテーテルを再位置決めし、固定するのに役立つガイダンスをユーザに提供するステップをさらに含む、請求項０に記載の方法。
【請求項１５】
位置特定システムであって、
複数の位置特定場生成器と、
複数の基準位置特定要素を含む基準カテーテルと、
少なくとも部分的に、前記基準カテーテルの前記複数の基準位置特定要素のうちの少なくとも１つの低速移動平均位置及び高速移動平均位置の差に基づいて、初期基準位置からの前記基準カテーテルのずれを監視する基準カテーテルずれプロセッサと、
を備える、システム。
【請求項１６】
前記基準カテーテルずれプロセッサは、
前記複数の基準位置特定要素のうちの少なくともいくつかの前記低速移動平均位置と前記高速移動平均位置との前記差をずれ閾値と比較し、前記差が前記ずれ閾値を超える場合、
前記複数の基準位置特定要素のうちの少なくともいくつかに対して、前記基準位置特定要素の前記低速及び高速移動平均位置を結ぶベクトルと、前記基準位置特定要素の近傍の前記基準カテーテルの軸との間の角度を計算し、それにより、複数の角度を計算し、
鋭角閾値を超える角度のカウントを特定し、
前記角度のカウントをカウント閾値と比較して、前記基準カテーテルが前記初期基準位置からずれたか否かを判断する、請求項０に記載の位置特定システム。
【請求項１７】
基準調整プロセッサをさらに備え、前記基準調整プロセッサは、
前記初期基準位置からのずれの後の前記基準カテーテルの任意の位置変化を補償する基準調整を計算し、
前記基準調整を使用して、前記初期基準位置からのずれの後に行われた位置特定要素位置測定を調整する、請求項０に記載の位置特定システム。
【請求項１８】
前記基準カテーテルずれプロセッサは、少なくとも部分的に、前記基準カテーテルの認識されるずれの方向と、前記基準カテーテルの期待されるずれの方向との相関に基づいて初期基準位置からの前記基準カテーテルのずれを監視する、請求項０に記載の位置特定システム。
【発明の詳細な説明】
【技術分野】
【０００１】
関連出願の相互参照
本願は、２０１０年１２月１７に出願された米国特許出願第１２／９７２，２５３号明細書（‘２５３出願）の利益及び優先権を主張するものである。本願は、２００６年１２月２９日に出願された米国特許出願第１１／６４７，２７７号明細書（‘２７７出願）に関する。‘２５３出願及び‘２７７出願は両方とも、参照によって本明細書に組み込まれる。
【０００２】
本発明は、概して患者を通しての医療装置のナビゲーションに関する。より詳細には、本発明は、非電離位置特定システムで利用される基準ポイントの移動を検出する方法及びシステムに関する。当該方法及びシステムは、患者を通しての医療装置のナビゲーションに利用されることが多く、そのような基準ポイント移動の影響を軽減するようなものである。
【背景技術】
【０００３】
心臓診断又は治療処置の準備として、心腔幾何学的形状を生成することが周知である。多くの場合、マッピングカテーテルの先端は心腔内及び／又は心腔壁に当接して配置され、マッピングカテーテル先端の三次元座標が、位置特定システムを使用して測定される。三次元座標は、幾何学的形状ポイントになる。マッピングカテーテルが心腔内を移動する際、複数の測定が行われ、結果として、心腔の幾何学的形状を定義する幾何学的形状ポイントクラウド（「位置特定データポイント」とも呼ばれる）が生成される。次に、様々な表面構築アルゴリズムを適用して、表面で幾何学的形状ポイントクラウドを包み、心腔幾何学的形状の三次元表現を得ることができる。
【０００４】
幾何学的形状ポイントを測定する際に相対する三次元座標系が安定した基準ポイント又は原点を有することが望ましい。この安定した基準ポイント又は原点は、本明細書では、位置特定システムの「ナビゲーション基準」と呼ばれる。任意の安定位置が十分であるが、多くの理由により、マッピングカテーテルの近傍にあるナビゲーション基準を利用すること望ましい。したがって、カテーテル搭載基準位置特定要素が多くの場合、心臓内に挿入され、冠状静脈洞等の固定位置に位置決めされて、マッピングカテーテルの位置が測定される際に相対する座標系の原点を確立する。
【０００５】
しかし、ナビゲーション基準がずれる場合があることが分かっている。例えば、マッピングカテーテルは、ナビゲーション基準を伴うカテーテル（本明細書では「基準カテーテル」と呼ばれる）に衝突するか、若しくは絡まるおそれがあり、又はマッピングカテーテルを動かしている施術者が不注意で基準カテーテルを押しのけるおそれがある。ナビゲーション基準は、患者の動きによってもずれるおそれがある。患者の水分補給及び呼吸等の他の要因が、実際にはナビゲーション基準がずれていない場合にまるでナビゲーション基準がずれたかのように見えるようにし得る。
【０００６】
ナビゲーション基準がずれた場合、位置特定システムが使用される座標系の原点は事実上、シフトする。ずれが検出され、説明されない場合、ずれの後に測定されるマッピングカテーテルの位置は無効になる。
【発明の概要】
【０００７】
したがって、体の幾何学的形状を測定する際に相対する座標系の原点を定義するナビゲーション基準のずれを検出可能なことが望ましい。
【０００８】
さらに、ナビゲーション基準の「偽」のずれからナビゲーション基準の機械的なずれを区別可能なことが望ましい。
【０００９】
ナビゲーション基準の原点位置を再確立する際にユーザを案内することも望ましい。
【００１０】
ナビゲーション基準の原点位置を再確立し得る方法を提供することがさらに望ましい。
【００１１】
さらに、ナビゲーション基準の原点位置を再確立する必要なしで、ナビゲーション基準のずれた位置を説明する方法を提供することが望ましい。
【００１２】
本発明の第１の態様によれば、位置特定場内のナビゲーション基準のずれを検出する方法は、以下のステップを含む。即ち、少なくとも１つの基準位置特定要素を含む基準カテーテルを位置特定場に配置するステップ、基準カテーテルを位置特定場内の初期基準位置に固定するステップ、少なくとも１つの基準位置特定要素の低速移動平均位置を計算するステップ、少なくとも１つの基準位置特定要素の高速移動平均位置を計算するステップ、少なくとも１つの基準位置特定要素の低速移動平均位置と高速移動平均位置との距離を計算するステップ、計算された距離をずれ閾値と比較するステップ、初期基準位置からの基準カテーテルのずれが発生したと判断するステップ、及び、初期基準位置からの基準カテーテルのずれを示す信号を生成するステップである。適したずれ閾値は約４ｍｍである。
【００１３】
ずれが実際のものであるのか、それとも単に認識されただけなのかを判断するさらなるチェックとして、この方法は、計算される距離がずれ閾値を超える場合、少なくとも１つの基準位置特定要素に対して以下の任意選択的なステップを含み得る。即ち、基準位置特定要素のそれぞれの低速移動平均位置及び高速移動平均位置の計算された距離がずれ閾値を超える時点での基準位置特定要素のそれぞれの低速移動平均位置及び高速移動平均位置を結ぶベクトルを計算するステップ、基準位置特定要素のそれぞれの低速移動平均位置及び高速移動平均位置の計算された距離がずれ閾値を超える時点での基準位置特定要素のそれぞれの近傍の基準カテーテルの軸を特定するステップ、及び、計算されたベクトルと、基準位置特定要素のそれぞれの近傍の基準カテーテルの軸と、の間の角度を計算するステップ、それにより、少なくとも１つの基準位置特定要素に関連付けられた少なくとも１つの角度を計算するステップ、及び、基準カテーテルが初期基準位置からずれたことを示す少なくとも１つの角度を分析するステップである。基準カテーテルが初期基準位置特定位置からずれたことを示す少なくとも１つの角度を分析するステップは、鋭角閾値を超える角度の総数を特定すること、及び角度の総数をカウント閾値と比較することを含み得る。
【００１４】
同様に、各基準位置特定要素の近傍の基準カテーテルの軸は、任意の適した様式で定義し得る。例えば、各基準位置特定要素の近傍の基準カテーテルの軸は、各基準位置特定要と、隣接する基準位置特定要素と、を結ぶ線分により定義し得る。
【００１５】
本発明のいくつかの実施形態では、少なくとも１つの基準位置特定要素の高速移動平均位置は、約１２秒というフィルタ時間定数を用いて計算される。低速移動平均位置及び／又は高速移動平均位置の計算に適したフィルタは、指数移動平均フィルタ、移動平均フィルタ、無限インパルス応答フィルタ、有限インパルス応答フィルタ、及びこれらの任意の組み合わせを含む。
【００１６】
基準カテーテルがずれた場合、この方法は、初期基準位置の近傍に基準カテーテルを再位置決めし、固定するのに役立つガイダンスをユーザに提供することを任意選択的に含む。初期基準位置の近傍への基準カテーテルを再位置決めに対する代替として、この方法は、基準カテーテルの新しい安定位置を定義すること、初期基準位置と新しい安定位置との基準カテーテルの任意の位置変化を補償する基準調整を計算すること、及び、基準調整を使用して、初期基準位置からのずれの後に行われる位置特定要素位置測定を調整することを含み得る。
【００１７】
本発明の別の態様では、非電離位置特定場内のナビゲーション基準のずれを検出する方法であって、複数の基準位置特定要素を含む基準カテーテルを位置特定場内の初期基準位置に固定すること、初期基準位置からの基準カテーテルの認識された変位を検出すること、認識された変位の方向を分析して、初期基準位置から基準カテーテルがずれたか否かを判断すること、及び、初期基準位置からの基準カテーテルのずれを示す信号を生成することを含む。この方法は以下の任意選択的なステップを含み得る。即ち、初期基準位置からのずれの後の基準カテーテルの任意の位置変化を補償する基準調整を計算するステップと、基準調整を使用して、初期基準位置からのずれの後に行われた位置特定要素位置測定を調整するステップである。或いは、この方法は、初期基準位置の近傍に基準カテーテルを再位置決めし、固定するのに役立つガイダンスをユーザに提供することも含み得る。
【００１８】
本発明のいくつかの実施形態では、検出するステップは、複数の基準位置特定要素のうちの少なくともいくつかの認識された変位の大きさをずれ閾値と比較することを含む。同様に、分析するステップは、複数の基準位置特定要素のうちの少なくともいくつかの認識された変位の方向を期待ずれ方向と比較することを含み得る。
【００１９】
本明細書には、複数の位置特定場生成器と、複数の基準位置特定要素を含む基準カテーテルと、基準カテーテルの複数の基準位置特定要素のうちの少なくともいくつかの低速移動平均位置及び高速移動平均位置の差に少なくとも部分的に基づいて、初期基準位置からの基準カテーテルのずれを監視する基準カテーテルずれプロセッサと、を含む位置特定システムも開示される。ずれプロセッサが、基準カテーテルの認識されるずれの方向（例えば、低速移動平均位置と高速移動平均位置とを結ぶベクトル）と、ずれの期待される方向（例えば、基準カテーテル軸に沿ったベクトル）との相関に少なくとも部分的に基づいて、初期基準位置からの基準カテーテルのずれを監視することも意図される。
【００２０】
本発明のいくつかの実施形態では、基準カテーテルずれプロセッサは、複数の基準位置特定要素のうちの少なくともいくつかの低速移動平均位置及び高速移動平均位置の差をずれ閾値と比較し、差がずれ閾値を超える場合、複数の基準位置特定要素のうちの少なくともいくつかに対して、基準位置特定要素の低速移動平均位置と高速移動平均位置とを結ぶベクトルと、基準位置特定要素の近傍の基準カテーテルの軸との角度を計算し、それにより、複数の角度を計算し、鋭角閾値を超える角度の総数を特定し、角度の総数をカウント閾値と比較して、基準カテーテルが初期基準位置からずれたか否かを判断する。基準調整プロセッサは、初期基準位置からずれた後、基準カテーテルの任意の位置変化を補償する基準調整を計算し、基準調整を使用して、初期基準位置からずれた後に行われた位置特定要素位置測定を調整もし得る。
【００２１】
本発明の利点は、ナビゲーション基準のずれをユーザに警告するために使用し得ることである。
【００２２】
本発明のさらなる利点は、ずれを軽減する際にユーザを案内し得ることである。
【００２３】
本発明の別の利点は、例えば、基準調整を計算して、ナビゲーション基準の変化した位置を補償することによりずれを自動的に補正することである。
【００２４】
本発明のさらに別の利点は、ナビゲーション基準の実際の機械的なずれと、「偽の」ずれと、を区別することである。
【００２５】
本発明の上記及び他の態様、特徴、詳細、有用性、及び、利点は、以下の説明及び特許請求の範囲を読むとともに、添付図面を検討することにより明らかになろう。
【図面の簡単な説明】
【００２６】
【図１】電子生理学的研究に利用し得るような位置特定システムの概略図である。
【図２】図１に示される位置特定システムと併せて使用し得る代表的なカテーテルである。
【図３】本発明の実施形態によるナビゲーション基準ずれ検出及び軽減機能を示すフローチャートである。
【図４】本発明の実施形態によるナビゲーション基準ずれを検出し軽減する方法の適用を示す。
【図５】本発明の実施形態によるナビゲーション基準ずれを検出し軽減する方法の適用を示す。
【図６】本発明の実施形態によるナビゲーション基準ずれを検出し軽減する方法の適用を示す。
【図７】本発明の実施形態によるナビゲーション基準ずれを検出し軽減する方法の適用を示す。
【発明を実施するための形態】
【００２７】
本発明は、好ましくは位置特定システムと併せて適用され、位置特定システムのナビゲーション基準のずれを自動的に検出する。さらに、本発明は、ずれを自動的に補正するか、又はナビゲーション基準を元の位置に再位置決めする際にユーザ、例えば、医師を案内する方法を提供する。
【００２８】
説明のために、本発明について、電磁生理学的研究等の心臓診断又は治療処置の文脈の中で説明する。しかし、本発明をさまざまな用途で同様に首尾良く実施することができ、したがって、本発明の説明のために本明細書に使用される例示的な実施形態は限定として見なされるべきではないことを当業者なら理解しよう。
【００２９】
図１は、心臓カテーテルをナビゲートし、患者１１の心臓１０で生じた電気活動を測定し、電気活動、及び／又は、そうして測定された電気活動に関連する又は表す情報を三次元マッピングする心臓電気生理学的研究を行う位置特定システム８の概略図を示す。より詳細に後述するように、位置特定システム８は、好ましくは、電場及び／又は磁場を生成する位置特定システム等の非電離位置特定システムである。
【００３０】
システム８は、例えば、１つ又は複数の電極（又は他の適した位置特定要素）を使用して患者の心臓１０の解剖学的モデルを作成するために使用することができる。当業者が認識するように、且つさらに後述するように、位置特定システム８は、通常は三次元空間内の物体の位置（及びいくつかの態様では向き）を特定し、それらの位置を少なくとも１つの基準に相対して特定される位置情報として表す。システム８は、心臓表面に沿った複数のポイントで電子生理学的データを測定し、測定データを、電子生理学的データが測定された各測定ポイントの位置情報に関連付けて記憶して、例えば、患者の心臓１０の診断データマップを作成するために使用することもできる。
【００３１】
説明を簡明にするために、患者１１は楕円として概略的に示される。図１に示される実施形態では、３組の表面電極（例えば、パッチ電極）が、患者１１の表面に適用され、本明細書ではｘ軸、ｙ軸、及びｚ軸と呼ばれる３つの概して直交する軸を定義する。他の実施形態では、電極は、他の構成で位置決めしてもよく、例えば、複数の電極を特定の体表面に位置決めしてもよい。同様に、電極は、体表面のみにある必要はなく、外部装置に固定してもよく、又は体内に位置決めされた電極を使用してもよい。
【００３２】
図１では、ｘ軸表面電極１２、１４が、患者の胸部領域の横側等の第１の軸に沿って患者に適用（例えば、各腕の下の患者の皮膚に適用）され、左電極及び右電極と呼ばれ得る。ｙ軸電極１８、１９は、患者の内腿及び首領域に沿うなど、ｘ軸に概して直交する第２の軸に沿って患者に適用され、左足電極及び首電極と呼ばれ得る。ｚ軸電極１６、２２は、胸部領域の患者の胸骨及び背骨に沿うなどｘ軸及びｙ軸の両方に概して直交する第３の軸に沿って適用され、胸電極及び背中電極と呼ばれ得る。心臓１０は、これらの表面電極対１２／１４、１８／１９及び１６／２２の間にある。
【００３３】
追加の表面基準電極２１（例えば、「腹部パッチ」）が、システム８の基準及び／又は接地電極を提供する。腹部パッチ電極２１は、さらに詳細に後述するように、固定心臓内電極３１に対する代替であり得る。さらに、患者１１が所定位置に従来の心電図（「ＥＣＧ」又は「ＥＫＧ」）システムリードのうちの大半又はすべてを有してもよいことも理解されたい。このＥＣＧ情報は、図１に示されていないが、システム８に提供される。
【００３４】
少なくとも１つの電極１７（例えば、遠位電極）を有する代表的なカテーテル１３も示される。この代表的なカテーテル電極１７は、本明細書全体を通して「ロービング電極」、「移動電極」、「測定電極」、又は「位置測定センサ」と呼ばれる。電極１７は「位置特定要素」とも呼ばれ、その用語が以下に定義される。通常、カテーテル１３及び／又は複数のそのようなカテーテル上に複数の電極が使用される。一実施形態では、例えば、位置特定システム８が、患者の心臓及び／又は血管内に配置された１２本のカテーテル上に６４個の電極を備え得る。勿論、この実施形態は単なる例示であり、任意の数の電極及びカテーテルを本発明の範囲内で使用し得る。
【００３５】
本開示では、例示的なカテーテル１３を図２に示す。図２では、カテーテル１３は、患者の心臓１０の左心室５０内に延びる。カテーテル１３は、遠位端部に電極１７を含むとともに、長さに沿って離間された複数の追加の測定電極５２、５４、５６を含む。通常、隣接する電極の間隔は既知であるが、電極がカテーテル１３に沿って等間隔でなくてもよく、互いに等しいサイズでなくてもよいことを理解されたい。これらの電極１７、５２、５４、５６のそれぞれは患者内にあり、位置特定システム８により各電極で同時に位置データを収集し得る。したがって、各電極（例えば、１７、５２、５４、５６）は、パッチ電極１２／１４、１８／１９、及び１６／２２により生成される位置特定場内のカテーテル１３の位置を説明するとともに、任意選択的に向きも説明する位置特定信号を生成し得る。
【００３６】
これより図１に戻ると、任意選択的な固定基準電極３１（例えば、心臓１０の壁に取り付けられるか、又は冠状静脈洞内に係留される）は、第２のカテーテル２９に担持されて示される。較正のために、電極３１は、静止してもよく（例えば、心臓の壁又はその近傍に取り付けられてもよく）、又はロービング電極（例えば、電極１７、５２、５４、５６）と一定の空間関係の箇所に配置されてもよく、したがって、用語が上に定義されている「ナビゲーション基準」を構成する。電極３１は「ローカル基準」と呼ばれることもある。同様に、カテーテル２９は、電極３１を担持し、用語が上に定義されている「基準カテーテル」を構成する。
【００３７】
固定基準電極３１は、上述した表面基準電極２１に加えて、又はその代替として使用し得る。多くの場合、心臓１０内の冠状静脈洞電極又は他の電極は、電圧及び変位を測定する基準として使用することができ、すなわち、本明細書に記載のように、固定基準電極３１は、位置特定場の座標系の原点を定義し得る。基準カテーテル２９が通常、例えば、図２に示されるように複数の電極を担持すること、及び位置特定システム８のユーザが１つのそのような電極（例えば、基準電極３１）を特定の処置のナビゲーション基準として指定し得ることも理解されたい。
【００３８】
各表面電極は多重化スイッチ２４に結合され、表面電極対が、コンピュータ２０で実行中のソフトウェアにより選択され、多重化スイッチ２４は表面電極を信号生成器２５に結合する。コンピュータ２０は、例えば、従来の汎用コンピュータ、専用コンピュータ、分散コンピュータ、又は他の任意のコンピュータを含み得る。コンピュータ２０は、命令を実行して、本明細書に記載の本発明の様々な態様を実施し得る信号中央処理演算装置（ＣＰＵ）又は一般に並列処理環境と呼ばれる複数の処理ユニット等の１つ又は複数のプロセッサを備え得る。
【００３９】
一般に、３つの公称的に直交する電場が一連の駆動され感知される電極双極子（例えば、表面電極対１２／１４、１８／１９、及び１６／２２）により生成され、生物学的導体内にカテーテルナビゲーションを実現する。或いは、これらの直交する場を分解し、任意の表面電極対を双極子として駆動して、有効電極三角測量を提供することができる。同様に、電極１２、１４、１８、１９、１６、及び２２（又は任意の数の電極）を他の任意の有効な構成に位置決めして、電流を送り、心臓内の電極からの電流を感知することができる。例えば、複数の電極を患者１１の背中、脇、及び／又は腹部に配置することができる。さらに、そのような非直交方法は、システムに柔軟性を加える。任意の所望の軸では、所定の駆動（ソース−シンク）構成セットから生じるロービング電極を両端として測定される電位を代数的に結合して、直交する軸に沿って均一の電流を単に駆動することにより得られるものと同じ有効電位をもたらすことができる。
【００４０】
したがって、表面電極１２、１４、１６、１８、１９、２２のうちの任意の２つを双極子ソースとして選択し、腹部パッチ２１等の接地基準に対してドレーンしてもよく、その一方で、非励起電極は接地基準に対する電圧を測定する。心臓１０に配置された測定電極（例えば、ロービング電極１７、５２、５４、５６）は、電流パルスからの場に曝され、腹部パッチ２１等の接地に対して測定される。実際には、心臓内のカテーテルは、示される４つのよりも多数又は少数の電極を含んでもよく、各電極電位を測定し得る。上述したように、少なくとも１つの電極（例えば、基準電極３１）を心臓の内面に固定して、固定ナビゲーション基準を形成してもよく、この固定ナビゲーション基準も腹部パッチ２１等の接地に対して測定され、位置特定システム８が位置を測定する相対元である座標系の原点として定義し得る。各表面電極からのデータセット、内部電極、及び仮想電極をすべて使用して、心臓１０内のロービング電極１７、５２、５４、５６の位置を特定し得る。
【００４１】
測定された電圧を使用して、基準電極３１等の基準位置に対するロービング電極１７、５２、５４、５６等の心臓内部の電極の、三次元空間での位置を特定し得る。すなわち、基準電極３１で測定される電圧を使用して、座標系の原点を定義し得、その一方で、ロービング電極１７、５２、５４、５６で測定される電圧を使用して、原点に対するロービング電極１７、５２、５４、５６の位置を表現し得る。本開示では、本発明について三次元（ｘ，ｙ，ｚ）デカルト座標系に関連して説明する。しかし、三次元での球座標系及び円筒座標系及び二次元での極座標系等のその他の座標系も本発明の範囲内にあることを理解されたい。
【００４２】
上記考察から明らかであるとおり、心臓内の電極の位置の特定に使用されるデータは、表面電極対が電場を心臓に印加する間に測定される。電極データは、米国特許第７，２６３，３９７号明細書に記載のように電極位置の未処理位置データを改良するために使用される呼吸補償値の生成にも使用してもよく、この特許は参照によって本明細書に組み込まれる。電極データは、２００５年９月１５日に出願された同時係属中の米国特許出願第１１／２２７，５８０号明細書に記載のように、患者の体のインピーダンス変化を補償するためにも使用してもよく、この出願は参照によって本明細書に組み込まれる。
【００４３】
まとめると、システム８はまず、１組の表面電極を選択し、次に、電流パルスで表面電極を駆動する。電流パルスが送られている間、残りの表面電極のうちの少なくとも１つ及び生体内電極で測定される電圧等の電気活動が測定され記憶される。呼吸及び／又はインピーダンスシフト等のアーチファクトの補償を、上に示したように実行し得る。
【００４４】
好ましい実施形態では、位置特定システムは、St. Jude Medical, Atrial Fibrillation Division, Inc.のＥｎＳｉｔｅ  ＮａｖＸ（トレードマーク）ナビゲーション及び視覚化システムであり、これは上述したように電場を生成する。しかし、例えば、Biosense Webster, Inc.のＣＡＲＴＯナビゲーション及び位置特定システム又はNorthern Digital Inc.のＡＵＲＯＲＡ（登録商標）システムを含む他の位置特定システムを本発明に関連して使用してもよく、これらは両方とも電場ではなく磁場を利用する。（すべて参照によって本明細書に組み込まれる）以下の特許、即ち、米国特許第６，９９０，３７０号明細書、同第６，９７８，１６８号明細書、同第６，９４７，７８５号明細書、同第６，９３９，３０９号明細書、同第６，７２８，５６２号明細書、同第６，６４０，１１９号明細書、同第５，９８３，１２６号明細書、及び同第５，６９７，３７７号明細書に記載される位置特定及びマッピングシステムも本発明と併用することができる。
【００４５】
電場（例えば、ＥｎＳｉｔｅ  ＮａｖＸ（トレードマーク））であれ、磁場（例えば、ＣＡＲＴＯ、ＡＵＲＯＲＡ（登録商標））であれ、又は別の適した場であれ、位置特定システム８により生成される場は一般的に「位置特定場」と呼んでもよく、その一方で、表面電極１２、１４、１６、１８、１９、及び２２等の場を生成する要素は一般的に「位置特定場生成器」と呼んでもよい。同様に、本発明は主に、カテーテル１３及び２９が電極を担持するように電場を生成する位置特定システムの文脈の中で説明されるが、本明細書に開示される原理を他の種類の位置特定場にいかに適用するか、特に他の種類の非電離位置特定場にいかに（例えば、電極１７、５２、５４、５６をコイルで置換して、磁場の異なる成分を検出することにより）適用するかを当業者は理解しよう。したがって、用語「位置特定要素」は、本明細書において、システム８により生成される位置特定場内の位置を測定することができる要素を一般的に指すために使用される。
【００４６】
当業者が認識するように、且つ上述したように、基準電極３１は、例えば、医師が非意図的に基準カテーテル２９を引っ張り、事実上、ロービング電極（例えば、１７、５２、５４、及び５６）の位置が相対して測定される座標系の原点を移動させ、ずれの後に行われるあらゆるそのような測定を無効にする場合、電子生理学的研究の過程中に初期基準位置からずれるおそれがある。したがって、コントローラ（例えば、コンピュータシステム２０に組み込まれるようなプロセッサ）が初期基準位置からのナビゲーション基準のずれを監視し、そのようなずれが発生した場合、ずれを示す信号を生成して、例えば、ずれが発生したことをユーザに警告し、それにより、ユーザが是正措置をとることができるようにすることが望ましい。
【００４７】
ナビゲーション基準のずれを検出する一問題は、ナビゲーション基準が患者内に配置され、例えば、患者の心臓活動及び呼吸活動により常に動いていることである。さらに、様々な電気的及び薬理的な干渉が、実際にはずれていない場合にナビゲーション基準をずれたように見せることがある。したがって、基準カテーテル２９の実際の機械的ずれから、これらの外部の影響による基準カテーテル２９のそのような「偽」又は「認識された」ずれを区別することが望ましい。
【００４８】
本発明は、基準カテーテル２９の最も可能性が高い機械的ずれが、基準カテーテル２９が血管（例えば、冠状静脈洞）に配置された場合、カテーテルの軸に沿うか、又はそこから比較的わずかにずれる（すなわち、予測可能又は予期されるずれ方向にある）現象を利用する。したがって、本発明は、基準カテーテル２９上の基準位置特定要素（例えば、電極）の変位を予期されるずれ方向（例えば、基準カテーテル２９の軸方向）に相関付け、その相関が高い場合（例えば、変位が大きく、カテーテルの軸に大方平行又は略平行する場合）、ずれを報告する。
【００４９】
ナビゲーション基準のずれを検出する本発明による方法の様々な態様について、これより図３を参照して説明する。ブロック１００において、複数の基準電極（又は他の適した位置特定要素）を含む基準カテーテル（例えば、基準カテーテル２９）は、位置特定場内の初期基準位置に固定される。例えば、基準カテーテル２９を患者の冠状静脈洞に挿入してもよく、基準カテーテル２９上の基準電極３１はナビゲーション基準（すなわち、位置特定システム８の座標系の原点）として示されてもよい。
【００５０】
ブロック１０２において、基準カテーテル２９上の基準電極のうちの１つ又は複数の低速移動平均位置が計算される。説明のために、本開示は、基準カテーテル２９上のすべての基準電極が利用される本発明の実施形態を説明する。しかし、全数未満の数の基準電極を本発明の趣旨及び範囲内で利用することができることを理解されたく、それに従って本教示をいかに適合させるかを当業者は認識しよう。
【００５１】
したがって、本明細書に記載の本発明の実施形態では、基準カテーテル２９上のすべての基準電極の（ｘ，ｙ，ｚ）座標が測定され、数分のフィルタ時間定数を有する移動平均フィルタを用いてフィルタリングされる。実際には、低速移動平均位置は、患者の心臓活動及び呼吸活動の影響並びに特定の電気的及び薬理学的干渉の影響を「平滑化」して、基準電極の安定位置のより長期の表現を提供する。当然、本発明の趣旨及び範囲から逸脱せずに、基準電極の安定位置を計算する他の方法を利用することもできる。
【００５２】
同時に、ブロック１０４において、基準カテーテル２９上の基準電極の高速移動平均位置が計算される。本発明のいくつかの実施形態では、高速移動平均位置が、基準カテーテル２９上のすべての基準電極の（ｘ，ｙ，ｚ）座標を測定し、好ましくは、約１２秒という時間定数を有する移動平均フィルタを用いてこれらの測定をフィルタリングすることにより計算される。当然、移動平均フィルタは、可変又は適応可変時間定数を有していてもよい。
【００５３】
基準電極の低速移動平均位置及び高速移動平均位置の計算に適したフィルタ実施態様は、限定ではなく、指数移動平均フィルタ、移動平均フィルタ、無限インパルス応答フィルタ、有限インパルス応答フィルタ、及びこれらの任意の組み合わせを含む。
【００５４】
当業者には明らかなように、高速移動平均位置は、様々な基準電極の位置特定信号から心臓及び呼吸のアーチファクトを除去することにより、基準カテーテル２９の位置のより「瞬間的」な画を提供する。しかし、本発明の範囲から逸脱せずに利用し得る、上述した移動平均フィルタに対する代替肢がある。例えば、本発明のいくつかの実施形態では、米国特許第７，２６３，３９７号明細書に開示される呼吸補償方法を利用して、位置特定信号から呼吸アーチファクトを除去し得る。参照によって本明細書に完全に記載されるかのように組み込まれる２０１０年７月１３日に出願された米国特許出願第１２／８３５，５１８号明細書に開示される呼吸フィルタリング方法を利用しても、本発明に関連する良好な利点をもたらし得る。
【００５５】
ブロック１０６において、基準カテーテル２９上の基準電極の低速移動平均位置と高速移動平均位置との距離が計算される。この距離は一般に、基準カテーテル２９が任意所与の瞬間に初期基準位置からどれくらい離れているか（又は離れているように見えるか）を反映する。
【００５６】
判断ブロック１０８において、基準カテーテル２９の潜在的な機械的ずれの一次検出として、ブロック１０６において計算された距離と事前設定されたずれ閾値とが比較される。事前設定されたずれ閾値は、距離であって、その距離未満では基準カテーテル２９の機械的ずれの可能性が低く、且つ／又は臨床的に有意ではない距離未満を反映するように選ばれ、通常は約４ｍｍである。ブロック１０６において計算された距離がずれ閾値を超えない（例えば、約４ｍｍ未満である）場合、基準カテーテル２９が初期基準位置からずれている可能性が低く、且つ／又は任意のそのようなずれが臨床的に有意ではなく、分析はブロック１０６に戻る。他方、ブロック１０６において計算される距離がずれ閾値を超える（例えば、約４ｍｍ以上である）場合、さらなる分析を行い、基準カテーテル２９が、実際に初期基準位置からずれているか、それとも単に認識された（例えば、患者の呼吸による）ずれであるかを判断することができる。
【００５７】
この二次解析は、基準カテーテル２９の認識された変位が、機械的ずれが沿うと予期される（例えば、カテーテルの軸に沿う）方向に生じたか否かを調べる。したがって、本発明のいくつかの実施形態では、ブロック１１０において、一連の角度が計算される。まず、基準カテーテル２９上の基準電極毎に、距離がずれ閾値を超えた場合（例えば、潜在的なずれがあるとき）の低速移動平均位置と高速移動平均位置とを結ぶベクトルが計算される。次に、このベクトルと基準電極の近傍の基準カテーテル２９の軸（基準カテーテル２９の「ローカル軸」と呼ぶことができる）との間の角度が計算され、基準カテーテル２９の移動方向をローカル軸の方向に相関付ける。上述したように、基準カテーテル２９の移動方向と基準カテーテル２９のローカル軸との相関が高いことは、「偽」のずれとは対照的な機械的ずれを示唆する。したがって、基準カテーテル２９上の各基準電極は関連付けられた角度を有する。
【００５８】
基準カテーテル２９のローカル軸は、いくつかの方法で特定し得る。例えば、ローカル軸は、各基準電極を隣接する基準電極に結ぶ線分、又は基準カテーテル２９の既知の幾何学的形状に基づく線分を計算することにより特定し得る。他の実施形態では、基準カテーテル２９のローカル軸は、隣接する基準電極を結ぶ線分を計算することにより計算してもよい。本発明のさらに他の実施形態では、基準カテーテル２９のローカル軸は、基準カテーテル２９の本体への接線として計算し得る。
【００５９】
ブロック１１２において、ブロック１１０において計算された角度を分析して、いくつのそのような角度が事前設定された鋭角閾値を超えるかを特定する。このステップは、基準電極の変位とカテーテル軸との相関を測定し、上述したように、基準カテーテル２９の最も可能性の高い機械的ずれはその軸に沿うか、又は比較的近い。したがって、鋭角閾値は、好ましくは、基準カテーテル２９のローカル軸の定義に採用される規約に応じて、略０度又は略１８０度である。
【００６０】
判断ブロック１１４において、鋭角閾値を超える角度の数が、事前設定されるカウント閾値と比較される。カウント閾値は、基準カテーテル２９が初期基準位置からずれたとの結論付けをサポートするために、カテーテルの軸に沿うか、又は略沿う変位を受けなければならない基準電極の数を反映するように選択される。すなわち、多数の基準電極がカテーテルの軸に沿うか、又は略沿う変位を受けた場合、基準カテーテル２９が初期基準位置からずれた可能性が高い。他方、少数の基準電極がカテーテルの軸に沿うか、又は略沿う変位を受けた場合、基準カテーテル２９が初期基準位置からずれた可能性は低い。
【００６１】
したがって、鋭角閾値を超える角度の数がカウント閾値を下回る場合（すなわち、比較的少数の基準電極が、基準カテーテル２９の軸に沿うか、又は略沿う変位を受けた場合）、システムは、基準カテーテル２９のずれがなかったと結論付け、分析はブロック１０６に戻る。他方、鋭角閾値を超える角度の数がカウント閾値を超える場合（すなわち、比較的多数の基準電極が基準カテーテル２９の軸に沿うか、又は略沿う変位を受けた場合）、システムは、基準カテーテル２９のずれがあったと結論付け、ブロック１１６において、適した信号（例えば、可聴信号、可視信号、又はこれらの組み合わせ）が生成される。
【００６２】
ずれが検出されると、判断ブロック１１８において、施術者に３つの選択肢が提供される。第１に、ユーザは何もしないことを選び得る（ブロック１２０）。
【００６３】
第２に、ユーザは、基準カテーテル２９を初期基準位置（又はより可能性が高くは、初期基準位置の妥当な近傍位置）に戻すことを選び得る（ブロック１２２）。ユーザがこの選択肢を選んだ場合、さらに詳細に後述するように、視覚的及び／又は可聴ガイダンスを提供して、上記のようにするに際してユーザを支援してもよい。例えば、システムは、基準カテーテル２９の現在位置の画像と、初期基準位置にある基準カテーテル２９の「シャドー」画像と、を示してもよい。或いは、システムは、基準カテーテル２９の現在位置の画像と、ユーザが基準カテーテル２９を移動させようとしている標的とを示してもよい。
【００６４】
システムは、基準カテーテル２９が初期基準位置に近づくにつれて周波数が増大するビープトーン等の可聴ガイダンスを提供して、初期基準位置への基準カテーテル２９の近傍性を示すこともできる。
【００６５】
システムが、２００６年１２月２９日に出願された米国特許出願第１１／６４７，２９８号明細書に開示されるロボット外科システム等の位置ガイダンスを自動カテーテル制御システムに提供し得ることも意図され、この特許は本明細書に完全に記載されているかのように参照によって本明細書に組み込まれる。
【００６６】
第３に、ユーザは、基準カテーテル２９の新しい変位位置を新しい基準位置として受け入れることを選んでもよい（ブロック１２４）。ユーザがこの選択肢を選ぶ場合、好ましくは、ブロック１２６において基準調整が計算されて、初期基準位置からずれた後、基準カテーテル２９の任意の位置変化を補償する。この基準調整は、実際には、ナビゲーション基準３１の新しい位置に相対して測定された座標を、基準カテーテル２９がずれる前の座標系に変換する変換関数又はベクトルであり、したがって、ずれた後に位置特定システム８により行われた位置測定の調整に使用される。
【００６７】
当然、ユーザが基準カテーテル２９の初期基準位置への再位置決めを選ぶ場合、ユーザが、基準カテーテル２９がずれ前に占有していた位置と全く同じ位置に戻せる可能性が低いときも、基準調整を計算することが望ましいであろう。
【００６８】
最後に、ユーザがずれの軽減を選ぶ（すなわち、ユーザが、ずれに応答して何もしないこと以外の何かを行うことを選ぶ）場合、ブロック１２８において、ずれ検出プロセスを再初期化してもよい。再初期化プロセス中、ずれ監視が一時的に中断される。ずれ監視が中断される場合、ずれ直前の基準カテーテル２９上のすべての基準電極の低速移動平均の位置が記憶される（したがって、例えば、これらの位置を、上述したように基準調整の計算に使用してもよい）、基準カテーテル２９上の基準電極の新しい安定位置が、待機期間中にわたって平均されて、本明細書に記載のずれ検出方法の新しい低速移動平均位置ベースラインを設定する。待機期間の終わりで（すなわち、新しい低速移動平均ベースラインが確立されると）、ずれ監視は再び有効にされる。
【００６９】
本発明が、ｇＭＰＳ（トレードマーク）Ｍｅｄｉｃａｌ  Ｐｏｓｉｔｉｏｎｉｎｇ  Ｓｙｓｔｅｍ等の電場磁場統合に基づく位置特定システムに関連して実施してもよいことも意図される。例えば、電場に基づく位置特定システムを使用して基準カテーテル２９上の基準電極の位置を測定することに加えて、電磁場基準位置特定要素（例えば、電磁トランスデューサ）の位置を、磁場に基づく位置特定システムを使用して測定し得る。
【００７０】
同様に、電子磁気基準位置特定要素は、磁場に基づく位置特定システムにより測定可能な軸を有する。この要素の軸が基準カテーテル２９のローカル軸に略平行することを理解されたい。
【００７１】
電磁基準位置特定要素に関して、ずれベクトル（すなわち、電磁基準位置特定要素の低速移動平均位置と高速移動平均位置とを結ぶベクトル）及びずれ角度（すなわち、ずれベクトルと基準カテーテル２９のローカル軸との角度）を検査し得る。ずれ角度が事前設定される閾値未満の場合（上述した鋭角閾値と同様の性質のもの）、それは、基準カテーテル２９が初期基準位置からずれたことのさらなる証拠である。
【００７２】
本発明による方法の適用について、図４〜図７を参照してこれより説明する。図４は、ずれ検出が可能な状態のシステムの初期状態を表す。基準カテーテル２９が可視であり、基準カテーテル２９上の基準電極３１も可視であり、ナビゲーション基準として示されている。測定電極を担持する一連の他のカテーテル１３も示される。説明のために、カテーテル１３の実際の位置は、シャドー１３’として破線で示される。
【００７３】
図５では、基準カテーテル２９はずれている。ナビゲーション基準は安定していると仮定されるため、基準電極３１は移動したように見えず、したがって、変位は基準カテーテル２９を拡張させて見せる。さらに、基準カテーテル２９のずれは、カテーテル１３を、矢印１３’で示されるように、実際の位置から大きく変位して見えさせる。
【００７４】
次に、ユーザにずれが警告され、基準カテーテル２９を初期基準位置の近傍に再位置決めするか、又は基準カテーテル２９の変位位置を新しい基準位置として受け入れることにより、何もしないか、ずれを軽減するかの選択肢が提供される。図６は、ユーザが基準カテーテル２９を初期基準位置の近傍に再位置決めすることによりずれの軽減を選んだと仮定する。
【００７５】
基準カテーテル２９を初期基準位置又はその近傍に再位置決めする際にユーザを支援するために、初期基準位置（例えば、基準カテーテル３１の元の位置）は、標的ボール２００で強調表示される。カテーテル１３は、明確にするために図６から省かれてもいる。ユーザが基準カテーテル２９を動かすにつれ、基準カテーテル２９の進行はディスプレイ２３に反映され、視覚的及び／又は可聴フィードバックをユーザに提供し得る。例えば、ユーザが基準カテーテル２９を初期基準位置の近傍に移動させるにつれ、標的ボール２００は色を変え（例えば、基準カテーテル２９が初期基準位置の近傍にない場合は赤、基準カテーテル２９が初期基準位置の近傍にある場合は黄色、基準カテーテル２９が初期基準位置に一致する場合は緑）、明滅し、又は他の様式で初期基準位置への基準カテーテル２９の近傍性を示す。
【００７６】
ユーザは、基準カテーテル２９を初期基準位置の近傍に戻すと、基準カテーテル２９の新しい位置を安定した基準位置として受け入れることができる。次に、システムは、図７に示されるように、カーテル１３が再び、実際の位置シャドー１３’の近傍になるように、カテーテル１３の位置を再計算する。当然、基準カテーテル２９が、初期基準位置と厳密に同じ位置に復元されないという点で、基準調整が望ましいことがある。さらに、システムはずれ検出プロセスを再初期化する。
【００７７】
本発明のいくつかの実施形態を、ある程度の具体性をもって上述したが、当業者は、本発明の趣旨又は範囲から逸脱せずに、開示される形態の多くの変更を行い得る。例えば、基準調整は、新しい座標系から古い座標系への変換として説明されるが、古い座標系から新しい座標系にも同様に変換を行い得ることを当業者は理解しよう。すなわち、基準調整を使用して、すべての測定が共通の座標系に対して行われることを保証する。座標系が古い座標系であるか、それとも新しい座標系であるかは重要ではない。
【００７８】
別の例として、本明細書に記載の本発明の実施形態（例えば、電場に基づく位置特定システム、磁場に基づく位置特定システム、及び電磁場磁場混成に基づく位置特定システム）を任意の所望の組み合わせで利用し得ることを当業者は理解しよう（例えば、両方の基準電極及び基準電磁位置特定要素の両方がずれ閾値を超え、ずれの可能性が高い方向での変位を示す場合のみ、ずれを検出する）。
【００７９】
全ての方向に関する指示（例えば、上部、下部、上向き、下向き、左、右、左向き、右向き、最上部、底部、より上方に、より下方に、垂直の、水平の、時計回り、反時計回り）は、読者の本発明についての理解を助けるべく、識別する目的で使用されているに過ぎず、特に本発明の位置、方向又は使用に関して制限を与えるものではない。結合に関する指示（例えば、取り付けられる、連結される、接続されるなど）は、広義に解釈されるべきであり、要素の接続部と、要素の間の相対的な動きと、の間の中間部材を含んでいてもよい。その様に、結合に関する指示は、２つの要素が直接的に接続されている及び互いに固定した関係にあることを必ずしも推定しているものではない。
【００８０】
上記の説明に含まれる又は添付図面に示される全ての内容は、制限的なものとしてではなく、単に例示的なものとして解釈されるべきである。添付の特許請求の範囲で定義されている本発明から逸脱すること無く、細部又は構造に変更を加えることができる。
【図１】
2015027542.tif 000003
【図２】
2015027542.tif 000004
【図３】
2015027542.tif 000005
【図４】
2015027542.tif 000006
【図５】
2015027542.tif 000007
【図６】
2015027542.tif 000008
【図７】
2015027542.tif 000009
【手続補正書】
【提出日】平成26年9月24日(2014.9.24)
【手続補正１】
【補正対象書類名】特許請求の範囲
【補正対象項目名】全文
【補正方法】変更
【補正の内容】
【特許請求の範囲】
【請求項１】
非電離位置特定場内のナビゲーション基準のずれを検出する方法であって、
位置特定場内に固定された基準カテーテルから初期基準位置を取得するステップであって、前記基準カテーテルは、少なくとも１つの基準位置特定要素を含む該ステップと、
前記初期基準位置からの前記基準カテーテルの認識された変位を検出するステップと、
前記認識された変位の方向を分析して、前記初期基準位置から前記基準カテーテルがずれたか否かを判断するステップと、
前記初期基準位置からの前記基準カテーテルのずれを示す信号を生成するステップと、
を含む、方法。
【請求項２】
前記初期基準位置からのずれの後の前記基準カテーテルの任意の位置変化を補償する基準調整を計算するステップと、
前記基準調整を使用して、前記初期基準位置からのずれの後に行われた位置特定要素位置測定を調整するステップと、
をさらに含む、請求項１に記載の方法。
【請求項３】
前記検出するステップは、前記複数の基準位置特定要素のうちの少なくともいくつかの認識される変位の大きさをずれ閾値と比較することを含む、請求項１又は２に記載の方法。
【請求項４】
前記分析するステップは、前記複数の基準位置特定要素のうちの少なくともいくつかの認識される変位の方向を期待されるずれ方向と比較することを含む、請求項１から３のいずれか一項に記載の方法。
【請求項５】
前記初期基準位置の近傍に前記基準カテーテルを再位置決めし、固定するのに役立つガイダンスをユーザに提供するステップをさらに含む、請求項１から４のいずれか一項に記載の方法。
【手続補正２】
【補正対象書類名】明細書
【補正対象項目名】００８０
【補正方法】変更
【補正の内容】
【００８０】
上記の説明に含まれる又は添付図面に示される全ての内容は、制限的なものとしてではなく、単に例示的なものとして解釈されるべきである。添付の特許請求の範囲で定義されている本発明から逸脱すること無く、細部又は構造に変更を加えることができる。
以下の項目は、翻訳文提出書の提出時（２０１４年９月２４日）の特許請求の範囲に記載の要素である。
（項目１）
位置特定場内のナビゲーション基準のずれを検出する方法であって、
少なくとも１つの基準位置特定要素を含む基準カテーテルを位置特定場に配置するステップと、
前記基準カテーテルを前記位置特定場内の初期基準位置に固定するステップと、
前記少なくとも１つの基準位置特定要素の低速移動平均位置を計算するステップと、
前記少なくとも１つの基準位置特定要素の高速移動平均位置を計算するステップと、
前記少なくとも１つの基準位置特定要素の前記低速移動平均位置と前記高速移動平均位置との距離を計算するステップと、
前記計算された距離をずれ閾値と比較するステップと、
前記初期基準位置からの前記基準カテーテルのずれが発生したと判断するステップと、
前記初期基準位置からの前記基準カテーテルのずれを示す信号を生成するステップと、
を含む、方法。
（項目２）
前記ずれ閾値は約４ｍｍである。
（項目３）
前記計算された距離が前記ずれ閾値を超える場合、
前記少なくとも１つの基準位置特定要素に対して、
前記基準位置特定要素のそれぞれの前記低速移動平均位置及び前記高速移動平均位置の前記計算された距離が前記ずれ閾値を超える時点での前記基準位置特定要素のそれぞれの前記低速移動平均位置及び前記高速移動平均位置を結ぶベクトルを計算するステップと、
前記基準位置特定要素のそれぞれの前記低速移動平均位置及び前記高速移動平均位置の前記計算された距離が前記ずれ閾値を超える時点での前記基準位置特定要素のそれぞれの近傍の前記基準カテーテルの軸を特定するステップと、
前記計算されたベクトルと、前記基準位置特定要素のそれぞれの近傍の前記基準カテーテルの前記軸との間の角度を計算するステップと、
それにより、前記少なくとも１つの基準位置特定要素に関連付けられた少なくとも１つの角度を計算するステップと、
前記基準カテーテルが前記初期基準位置からずれたという表示に関して、前記少なくとも１つの角度を分析するステップと、
をさらに含む。
（項目４）
前記基準カテーテルが前記初期基準位置特定位置からずれたという表示に関して、前記少なくとも１つの角度を分析するステップは、
鋭角閾値を超える角度のカウントを特定することと、
前記角度のカウントをカウント閾値と比較することと、
を含む。
（項目５）
前記基準位置特定要素のそれぞれの近傍の前記基準カテーテルの前記軸は、前記基準位置特定要素のそれぞれと隣接する基準位置特定要素とを結ぶ線分により定義される。
（項目６）
前記少なくとも１つの基準位置特定要素の前記高速移動平均位置は、約１２秒というフィルタ時間定数を用いて計算される。
（項目７）
前記少なくとも１つの基準位置特定要素の低速移動平均位置及び高速移動平均位置のうちの少なくとも一方は、指数移動平均フィルタ、移動平均フィルタ、無限インパルス応答フィルタ、有限インパルス応答フィルタ、及びこれらの任意の組み合わせからなる群から選択されるフィルタを使用して計算される。
（項目８）
前記初期基準位置の近傍に前記基準カテーテルを再位置決めし、固定するのに役立つガイダンスをユーザに提供するステップをさらに含む。
（項目９）
前記基準カテーテルの新しい安定位置を定義するステップと、
前記初期基準位置と前記新しい安定位置との前記基準カテーテルの任意の位置変化を補償する基準調整を計算するステップと、
前記基準調整を使用して、前記初期基準位置からのずれの後に行われる位置特定要素位置測定を調整するステップと、
をさらに含む。
（項目１０）
非電離位置特定場内のナビゲーション基準のずれを検出する方法であって、
複数の基準位置特定要素を含む基準カテーテルを前記位置特定場内の初期基準位置に固定するステップと、
前記初期基準位置からの前記基準カテーテルの認識された変位を検出するステップと、
前記認識された変位の方向を分析して、前記初期基準位置から前記基準カテーテルがずれたか否かを判断するステップと、
前記初期基準位置からの前記基準カテーテルのずれを示す信号を生成するステップと、
を含む、方法。
（項目１１）
前記初期基準位置からのずれの後の前記基準カテーテルの任意の位置変化を補償する基準調整を計算するステップと、
前記基準調整を使用して、前記初期基準位置からのずれの後に行われた位置特定要素位置測定を調整するステップと、
をさらに含む。
（項目１２）
前記検出するステップは、前記複数の基準位置特定要素のうちの少なくともいくつかの認識される変位の大きさをずれ閾値と比較することを含む。
（項目１３）
前記分析するステップは、前記複数の基準位置特定要素のうちの少なくともいくつかの認識される変位の方向を期待されるずれ方向と比較することを含む。
（項目１４）
前記初期基準位置の近傍に前記基準カテーテルを再位置決めし、固定するのに役立つガイダンスをユーザに提供するステップをさらに含む。
（項目１５）
位置特定システムであって、
複数の位置特定場生成器と、
複数の基準位置特定要素を含む基準カテーテルと、
少なくとも部分的に、前記基準カテーテルの前記複数の基準位置特定要素のうちの少なくとも１つの低速移動平均位置及び高速移動平均位置の差に基づいて、初期基準位置からの前記基準カテーテルのずれを監視する基準カテーテルずれプロセッサと、
を備える、システム。
（項目１６）
前記基準カテーテルずれプロセッサは、
前記複数の基準位置特定要素のうちの少なくともいくつかの前記低速移動平均位置と前記高速移動平均位置との前記差をずれ閾値と比較し、前記差が前記ずれ閾値を超える場合、
前記複数の基準位置特定要素のうちの少なくともいくつかに対して、前記基準位置特定要素の前記低速及び高速移動平均位置を結ぶベクトルと、前記基準位置特定要素の近傍の前記基準カテーテルの軸との間の角度を計算し、それにより、複数の角度を計算し、
鋭角閾値を超える角度のカウントを特定し、
前記角度のカウントをカウント閾値と比較して、前記基準カテーテルが前記初期基準位置からずれたか否かを判断する。
（項目１７）
基準調整プロセッサをさらに備え、前記基準調整プロセッサは、
前記初期基準位置からのずれの後の前記基準カテーテルの任意の位置変化を補償する基準調整を計算し、
前記基準調整を使用して、前記初期基準位置からのずれの後に行われた位置特定要素位置測定を調整する。
（項目１８）
前記基準カテーテルずれプロセッサは、少なくとも部分的に、前記基準カテーテルの認識されるずれの方向と、前記基準カテーテルの期待されるずれの方向との相関に基づいて初期基準位置からの前記基準カテーテルのずれを監視する。
【外国語明細書】
2015027542000001.pdf
2015027542000002.pdf
2015027542000003.pdf
2015027542000004.pdf